(57)【要約】【課題】簡易な棚構造で、低コスト，清掃性にも優れた効果を発揮して商品の先入れ，先出し原則に対応できるようにしたショーケースを提供する。【解決手段】多数の商品を前後に整列して載置する前傾形の棚板を備える上下段に並ぶ商品陳列棚を庫内に装備したショーケースにおいて、多数の商品を前後左右に整列して載置するように設けられる低摩擦表面処理を施した複数の仕切板を備え、前記仕切板は、水平部と立上り部とからなることを特徴とし、商品陳列棚に補給した商品を仕切板の上に滑らせて前方に滑走させるようにする。【選択図】図１
2007301063.tif 000002
【特許請求の範囲】
【請求項１】
多数の商品を前後に整列して載置する前傾形の棚板を備える上下段に並ぶ商品陳列棚を庫内に装備したショーケースにおいて、
多数の商品を前後左右に整列して載置するように設けられる低摩擦表面処理を施した複数の仕切板を備えたことを特徴とするショーケース。
【請求項２】
請求項１記載のショーケースにおいて、前記仕切板は、水平部と立上り部とからなることを特徴とするショーケース。
【請求項３】
請求項１または２記載のショーケースにおいて、前記仕切板は、断面略逆Ｔ字形あるいは断面略Ｌ字形からなることを特徴とするショーケース。
【請求項４】
請求項２または３記載のショーケースにおいて、前記仕切板の商品の底面と接する部分は、商品の外径の１／２以下の寸法であることを特徴とするショーケース。
【請求項５】
請求項１ないし４のいずかに記載のショーケースにおいて、前記仕切板は、商品の底面と接する部分のみ低摩擦表面処理を施したことを特徴とするショーケース。
【請求項６】
請求項１ないし５のいずれかに記載のショーケースにおいて、前記仕切板に突起を設けたことを特徴とするショーケース。
【発明の詳細な説明】
【技術分野】
【０００１】
本発明は、庫内に商品陳列棚を装備して商品を陳列するショーケースに関する。
【背景技術】
【０００２】
まず、冷気循環式ショーケースを例に、本発明の実施対象となるショーケースの一例の構成を図６に示す。
図６において、ショーケース本体内には前面が開口した商品陳列室１が設けられ、庫内に上下多段に配置された商品陳列棚２上に、ペットボトル入り飲料や缶入り飲料などの商品３が多数載置されている。商品陳列室１の外側には冷気循環通路４が形成され、その内部には冷却器５及び通風ファン６が設置されている。
このようなショーケースにおいて、商品冷却時には通風ファン６の送風により冷却器５を通過した冷気が商品陳列室１の周囲を循環通風され、商品３が冷却される。また、商品加温時には商品陳列棚２の下面に配置された図示しないヒータに通電され、商品３の加温が行われる。
【０００３】
この上記ショーケースで販売する商品（食料品）は、先入れ，先出しを原則として商品の補給，販売管理を行うようにしている。そこで、この先入れ，先出しの原則に対応して商品の補給，取出し行うために、商品陳列棚に商品整列用の仕切ガイドを備えた前傾シュート形の棚板を組み合わせた上で、その棚板にローラ，コロなどの転がり機構を設けてその上に載置した商品が棚の傾斜面を滑走し易くするようにした構成の商品陳列棚が従来から知られている（例えば、特許文献１参照）。
【特許文献１】実開昭６０−１７０１６１号公報
【発明の開示】
【発明が解決しようとする課題】
【０００４】
ところで、前傾シュート棚にローラなどの転がり機構を備えた従来構造の商品陳列棚は、転がり機構を備えた分だけ棚の厚さ寸法が増して庫内の商品陳列の有効高さが縮小される制約を受けるほか、棚構造が複雑になってコスト高となる。
また、ローラなどの転がり機構は塵埃が隙間に侵入して溜まり易い上に清掃性も悪く、商品陳列棚のメンテナンスには手間がかかる問題もある。
一方、商品を整列される手段として、転がり機構とともに、隣り合う商品との仕切ガイドが設けられており、この仕切ガイドは、陳列する商品の大きさに基づき、仕切り位置を変更しなければならず、例えば、棒状の仕切ガイドの場合、棚板前後に設けた取付穴により固定される構造が一般的で、取付穴のピッチにより仕切ガイドの位置が決定されるため、すべての商品群で効率的に無駄なく陳列することはできないなどの問題もある。
【０００５】
本発明は上記の点に鑑みなされたものであり、その目的は前記課題を解決し、簡易な構造で、陳列商品の滑走ならびに整列を図ることが可能なショーケースを提供することにある。
【課題を解決するための手段】
【０００６】
上記目的を達成するために、本発明によれば、多数の商品を前後に整列して載置する前傾形の棚板を備える上下段に並ぶ商品陳列棚を庫内に装備したショーケースにおいて、多数の商品を前後左右に整列して載置するように設けられる低摩擦表面処理を施した複数の仕切板を備えたことを特徴とする。
より具体的に説明すると、前記仕切板は、水平部と立上り部とを有する断面略逆Ｔ字形あるいは断面略Ｌ字形からなり、前記仕切板の商品の底面と接する部分は、商品の外径の１／２以下の寸法とする。
また、前記仕切板は、商品の底面と接する部分のみ低摩擦表面処理を施してもよく、さらに、前記仕切板に突起を設けてなる。
【発明の効果】
【０００７】
本発明によれば、多数の商品を前後左右に整列して載置するように設けられる低摩擦表面処理を施した複数の仕切板を備えたことで、仕切板のみで、商品は、整列したまま棚板の斜面に沿って前方へスムーズに滑動する。これにより、ローラなどの複雑な転がり機構および仕切棒を設けることなしに、先入れ，先出し原則を確保してショーケースへの商品補給，取出しが楽に行える。
【発明を実施するための最良の形態】
【０００８】
以下、本発明の実施の形態を図１ないし図５に示す実施例に基づいて説明する。なお、従来技術で示した図６のショーケースと対応する部分について同一符号を用いるものとする。
まず、図４に示すように、実施例の商品陳列棚２は、前傾姿勢となる棚板１０を備え、詳細を後記する商品３を前後の列に整列させる仕切ガイドと商品滑走用敷板とを兼用する略逆Ｔ字形の仕切板１１が棚板上に載置され、前端側にフェンス１２が設けられることで、商品陳列棚２が構成されている。
ここで、図１ないし図３に示すように、仕切板１１は、薄鋼板（例えば合金化亜鉛鋼板）を折り曲げて加工した略逆Ｔ字形としてなり、商品３の底面に接する棚板１０との水平部１１ａの表面（商品３の滑動面）に低摩擦塗料としてフッ素樹脂の塗膜を形成し、隣り合う商品との仕切ガイドとしての立上り部１１ｂを形成した構造とし、この仕切板１１を前記棚板１０に商品３の間隔毎に載置して、その上に商品３を載置するようにしている。
【０００９】
この仕切板１１の水平部１１ａの商品と接する部分の寸法としては、図１に示すように、商品の外径Ｌに対し、１／２以下となる幅Ｗに設定してある。
この前記仕切板１１は、表面を脱脂処理した上で、その表面に低摩擦の塗料としてフッ素樹脂系インキ（高い強度を得るために必要に応じて有機フィラーを混入する）をスクリーン印刷法などによりストライプ状に厚肉印刷あるいはドット状に分散して印刷し、インキを乾燥した後に焼成処理して塗膜を形成するようにする。
上記構成において、商品陳列棚２に商品３を陳列した状態では、商品３の底面が仕切板１１の水平部１１ａの箇所に当接する。これにより、低摩擦のフッ素樹脂塗膜による高い滑り性に加えて、商品３は仕切板１１の立上り部１１ｂでガイドされながら棚板１０の傾斜面に沿って前方へスムーズに滑走する。また、商品陳列棚２から商品３を抜き取ると、その後方に並んでいる商品３が前方に滑動して隙間なく整列して商品の先入れ，先出しを確実に確保できる。
【００１０】
なお、仕切板１１の水平部１１ａの表面のみに、低摩擦塗料としてフッ素樹脂の塗膜を形成したが、必要に応じて立上り部１１ｂにも低摩擦塗料としてフッ素樹脂の塗膜を形成するこのも可能である。
次に、他の実施例について、図５を用いて説明する。
図５に示すように、図１に加え、仕切板の水平部１１ａおよび立上り部１１ｂの表面に凸部１１ｃを形成するものである。これにより、低摩擦のフッ素樹脂塗膜による高い滑り性に加えて、この塗膜と商品３との接触面積も小さくなり、商品収納に補給した商品３は仕切板１１の立上り部１１ｂでガイドされながら棚板１０の傾斜面に沿って前方へスムーズに滑走する。また、商品陳列棚２から商品３を抜き取ると、その後方に並んでいる商品３が前方に滑動して隙間なく整列して商品の先入れ，先出しを確実に確保できる。
【００１１】
なお、凸部１１ｃについては、水平部１１ａのみでもよい。
また、仕切板１１は略逆Ｔ字形としたが、例えば、棚板１０の両サイドに載置される仕切板については、Ｌ字形としてもよい。
さらに、仕切板１１の水平部１１ａと商品３の底面と接する面積については、商品３を両側から支持する関係上、上記のように１／２の範囲で、適宜設定可能となる。
【図面の簡単な説明】
【００１２】
【図１】本発明の実施例を示す仕切板に商品を載置した状態の概略正面図
【図２】本発明の実施例に係る仕切板と棚板との概略分解斜視図
【図３】本発明の実施例に係る仕切板を棚板に載置した概略斜視図
【図４】本発明の実施例に係る商品陳列棚の概略側面図
【図５】本発明の他の実施例を示す仕切板に商品を載置した状態の概略正面
【図６】本発明の実施対象となるショーケースの一例を示す概略断面図
【符号の説明】
【００１３】
１    ショーケース
２    商品陳列棚
３    商品
１０  棚板
１１    仕切板
１１ａ  水平部
１１ｂ  立上り部
１１ｃ  凸部
【図１】
2007301063.tif 000003
【図２】
2007301063.tif 000004
【図３】
2007301063.tif 000005
【図４】
2007301063.tif 000006
【図５】
2007301063.tif 000007
【図６】
2007301063.tif 000008